(57)【要約】【課題】測定セル内でのサンプル水と測定試薬との撹拌が十分に行われ、測定精度が高くなると共に、流路の閉塞も防止される水質分析方法を提供する。【解決手段】測定セル１内に測定試薬を供給した後、該測定セル１内にサンプル水を供給し、測定試薬とサンプル水とを撹拌した後、測定セル１内のサンプル水による吸光又は散乱を発光体及び受光体によって測定する水質分析装置を用いる水質分析方法において、測定セル１内に測定試薬を供給した後、サンプル水供給用チューブポンプ１０を短時間作動させて測定セル１内にサンプル水を供給することにより、測定試薬とサンプル水とを撹拌することを特徴とする水質分析方法。【選択図】図１
2019174175.tif 000002
【特許請求の範囲】
【請求項１】
測定セル内に測定試薬を供給した後、該測定セル内にサンプル水を供給し、測定試薬とサンプル水とを撹拌した後、測定セル内のサンプル水による吸光又は散乱を発光体及び受光体によって測定する水質分析装置を用いる水質分析方法において、測定セル内に測定試薬を供給した後、サンプル水供給用チューブポンプを短時間作動させて測定セル内にサンプル水を供給することにより、測定試薬とサンプル水とを撹拌することを特徴とする水質分析方法。
【請求項２】
前記サンプル水の供給時に前記チューブポンプを０．１〜０．２ｓｅｃ作動させ、測定セルの容積の２０〜４０％のサンプル水を測定セル内に供給することを特徴とする請求項１の水質分析方法。
【発明の詳細な説明】
【技術分野】
【０００１】
本発明は、水質分析方法に係り、特に、比色法または比濁法を測定原理とする水質分析装置を用いた水質分析方法に関する。
【背景技術】
【０００２】
オンライン型の水質分析計においては、測定セルにサンプル水を注入し、測定項目に応じた測定試薬を添加し発色または白濁させ、測定試薬添加前後の吸光度の変化を測定する事によりサンプル水中の薬剤濃度を算出している（特許文献１，２）。
【０００３】
従来の水質分析方法にあっては、測定セル内に試薬を添加し混合させる場合、後述の図２（比較例２）の通り、測定セル１の上流部に設けられた定流量弁１２に流すサンプル水を電磁弁１１の開閉を行うことによって発生する脈動によって行っていた。しかし、この方法では、定流量弁１２および電磁弁１１の流路が狭いため、サンプル水中のＳＳ（懸濁物質）や微生物由来のファウリングにより定流量弁１２や電磁弁１１が閉塞し、測定試薬の撹拌が不十分になり、正常な測定ができなくなるという問題があった。
【０００４】
即ち、定流量弁１２や電磁弁１１が閉塞し、透過水量が減少すると、測定試薬の撹拌が不十分となり、測定結果が安定しない。なお、定流量弁１２は、電磁弁１１が開状態の時にサンプル水の圧力が変動しても、測定セル１内部へサンプル水が一定量流れるようにするために設置されている。測定セル１内にサンプル水が流入しすぎると、添加した試薬が測定セル１外へ流出してしまうため、測定ができない。
【先行技術文献】
【特許文献】
【０００５】
【特許文献１】特開２０１０−１８１１５０号公報
【特許文献２】特開２０１４−１８６０２７号公報
【発明の概要】
【発明が解決しようとする課題】
【０００６】
上記の通り、従来の技術では、測定セル内でのサンプル水と測定試薬との撹拌を、測定セル上流部に設けられた電磁弁を開閉させ、発生する脈動によって行っていたが、定流量弁および電磁弁の流路が狭いため、サンプル水中のＳＳや微生物由来のファウリングにより閉塞し、測定試薬の撹拌が不十分になり、正常な測定ができなくなることがあった。
【０００７】
本発明は、測定セル内でのサンプル水と測定試薬との撹拌が十分に行われ、測定精度が高くなると共に、流路の閉塞も防止される水質分析方法を提供することを目的とする。
【課題を解決するための手段】
【０００８】
本発明の水質分析方法は、測定セル内に測定試薬を供給した後、該測定セル内にサンプル水を供給し、測定試薬とサンプル水とを撹拌した後、測定セル内のサンプル水による吸光又は散乱を発光体及び受光体によって測定する水質分析装置を用いる水質分析方法において、測定セル内に測定試薬を供給した後、サンプル水供給用チューブポンプを短時間作動させて測定セル内にサンプル水を供給することにより、測定試薬とサンプル水とを撹拌することを特徴とする。
【０００９】
本発明では、好ましくは、前記サンプル水の供給時に前記チューブポンプを０．１〜０．２ｓｅｃ作動させ、測定セルの容積の２０〜４０％のサンプル水を測定セル内に供給する。
【発明の効果】
【００１０】
本発明では、サンプル水をチューブポンプによって測定セルに供給する。チューブポンプは、吐出水が脈動する。本発明では、この脈動によって測定セル内でサンプル水と測定試薬とを撹拌する。この方法によると、サンプル水と測定試薬とが十分に撹拌され、精度の高い水質分析を行うことができる。また、電磁弁及び定流量弁を用いないことにより、流路の閉塞も防止される。
【図面の簡単な説明】
【００１１】
【図１】実施の形態に係る水質分析装置の概略的な断面図である。
【図２】従来例に係る水質分析装置の概略的な断面図である。
【図３】実験結果を示すグラフである。
【図４】実験結果を示すグラフである。
【発明を実施するための形態】
【００１２】
図１を参照して実施の形態について説明する。測定セル１はサンプル水の流入口２と流出口３とを有する。測定セル１の一方の側面は透明部４となっており、該透明部４の反対側のセル内面は白色の反射面５となっている。透明部４の外部を覆うようにカバー８が設けられ、該カバー８内に、発光ダイオード等よりなる発光体６と、フォトダイオード等よりなる受光体７とが設けられている。発光体６からの光がセル１内のサンプル水を透過し、反射面５で反射され、サンプル水を透過して受光体７で受光され、吸光度が測定される。セル１の容積は０．３〜３．０ｍＬ特に０．５〜１．０ｍＬ程度が好適であるが、これに限定されない。
【００１３】
サンプル水は、チューブポンプ１０によって測定セル１に供給される。本発明では、好ましくは測定セル１内に測定試薬を供給した後、測定セル１の容積の２０〜４０％のサンプル水を測定セル１に供給する。チューブポンプ１０は、吐出水が脈動するので、この脈動によって測定セル１内においてサンプル水と測定試薬とが十分に撹拌される。
【００１４】
また、チューブポンプ１０はＳＳやバイオファウリングによる閉塞が生じにくい。そのため、本発明によると、長期にわたって高精度の水質測定を行うことができる。
【実施例】
【００１５】
以下の比較例１及び実施例１では、測定試薬として塩化ベンゼトニウム、およびｐＨ緩衝水溶液を用い、サンプル水として実稼働中の開放循環式冷却水を用いた。
【００１６】
［比較例１］
図２の通り、測定セル（容積０．７ｍＬ）に測定試薬を０．０６ｍＬ添加後、電磁弁を０．２〜０．４ｓｅｃ開状態にし、測定セルの容積に対して１５〜３０％のサンプル水をパルス的に測定セル内に供給し、測定試薬と撹拌した（この際、流量計によってサンプル水供給速度を測定した。）。次いで、センサー値を読み取り、検量線に基づいてポリマー濃度を求めた。サンプル水の供給速度及びポリマー濃度の経時変化を図２，３に示す。
【００１７】
［実施例１］
測定試薬を測定セル内部に添加後、図１の通り、チューブポンプを０．１〜０．２ｓｅｃ稼働させ、測定セルの容積に対して２０〜４０％のサンプル水を脈動状に測定セル１内に供給した。それ以外は比較例１と同一条件にて試験を行った。サンプル水の供給速度及びポリマー濃度の経時変化を図２，３に示す。
【００１８】
［参考例１］
サンプル水を採取し、サンプル水中のポリマー濃度を比濁法によって分析した。結果を図３にラボ分析値として示す。
【００１９】
図３の通り、実施例１の値はほぼ参考例１と一致している。これに対し、比較例１では参考例１の値との乖離が大きい。この実験結果より、本発明によると高精度の測定が可能となることが認められた。
【００２０】
また、図２の通り、本発明によると、測定セルへの通水速度は長期にわたって一定に保たれることが認められた。
【符号の説明】
【００２１】
１  測定セル
５  反射面
６  発光体
７  受光体
１０  チューブポンプ
１１  電磁弁
１２  定流量弁
【図１】
2019174175.tif 000003
【図２】
2019174175.tif 000004
【図３】
2019174175.tif 000005
【図４】
2019174175.tif 000006